(57)【特許請求の範囲】
【請求項１】
扉に開口部を設けると共に、開口部を開閉可能な回転蓋部材を開口部を形成した位置に設け、該回転蓋部材は断面略扇形状を呈し、回転蓋部材は上下端部で且つ断面中心位置から偏倚した位置に設けた回転軸を扉に枢着して偏心回転可能とし、回転蓋部材の周面に回転軸の軸心を中心とした円弧状の封止面を形成し、該封止面の端部から回転軸にかけて平面状の整流面を形成し、回転蓋部材の回転軸にピニオンギヤを設け、該ピニオンギヤと咬合するラックをスライド自在として扉に設け、ラックの端部にはラックのスライド方向と傾斜するガイド孔を穿設し、ガイド孔には扉に設けた開閉操作部材の端部に設けた連結ピンを嵌合し、開閉操作部材を操作することによりガイド孔内に位置する連結ピンを移動してラックのスライド動作を行い、ラックと咬合するピニオンギヤを回転して回転蓋部材を偏心回転し、回転蓋部材の封止面を開口部縁に近接あるいは離間して開口部を開閉可能としたことを特徴とする通風機能付扉。
【発明の詳細な説明】
【０００１】
【発明の属する技術分野】
この発明は、建物の屋外出入り口に設置される扉であって、特に通風機能を付与した扉に関するものである。
【０００２】
【従来の技術】
従来、扉に小窓あるいはスリット等の開口部を設け、この開口部を通風可能とするダンパーを設けた通風機能付扉が知られている（特開平１１−２００７２４号、同平１１−２００７２３号、同平１１−２００７２２号、同２０００−８７３１号公報参照）。
【０００３】
スライド可能な蓋部材で開口部を開閉可能とする場合、開口部を大きく形成すれば、充分な通風量が得られるものの、外部からの視線を遮断するのが困難となり、防犯上好ましくない。
一方、扉内部に通風路を設けて扉の表側と裏側における開口部の位置を変えた場合には、外部からの視線を遮断することは可能であるが、扉内部の通風路を流れる風量はごく僅かであり、充分な通風機能を得ることができない等の問題があった。
【０００４】
このような通風機能付扉には、開口部の開閉が簡単に行い得ると共に、充分な通風量が確保でき、開口部を開放状態とした際には、外部からの視線を遮断できる等の機能が求められている。
【０００５】
【発明が解決しようとする課題】
この発明の目的は、扉に比較的大きな通風用の開口部を形成するにも関わらず、外部からの視線を遮断し、防犯に適した通風機能付扉を提供することにある。
【０００６】
【課題を解決するための手段】
本発明者等は、このような事情に鑑み鋭意検討を重ねた結果、扉に開口部を設けると共に、開口部を開閉可能な回転蓋部材を開口部を形成した位置に設け、該回転蓋部材は断面略扇形状を呈し、回転蓋部材は上下端部で且つ断面中心位置から偏倚した位置に設けた回転軸を扉に枢着して偏心回転可能とし、回転蓋部材の周面に回転軸の軸心を中心とした円弧状の封止面を形成し、該封止面の端部から回転軸にかけて平面状の整流面を形成し、回転蓋部材の回転軸にピニオンギヤを設け、該ピニオンギヤと咬合するラックをスライド自在として扉に設け、ラックの端部にはラックのスライド方向と傾斜するガイド孔を穿設し、ガイド孔には扉に設けた開閉操作部材の端部に設けた連結ピンを嵌合し、開閉操作部材を操作することによりガイド孔内に位置する連結ピンを移動してラックのスライド動作を行い、ラックと咬合するピニオンギヤを回転して回転蓋部材を偏心回転し、回転蓋部材の封止面を開口部縁に近接あるいは離間して開口部を開閉可能としたことによって、所期の目的を達成したものである。
【０００７】
回転蓋部材は回転軸を端部に設けた断面略扇形状を呈し、回転蓋部材の周面に回転軸の軸心を中心とした円弧状の封止面を形成し、回転蓋部材を偏心回転して円弧状の封止面を開口部縁に近接あるいは離間して開口部を開閉可能としたものであるから、強固な回転蓋部材とすることができ、しかも回転蓋部材は断面略扇形状となる立体的な形状を呈しているので、扉にボリューム感のある印象を与えることができ、回転蓋部材が偏心回転する過程においても、外部からの視線を効果的に遮断することすることができる。
【０００８】
回転蓋部材の回転機構としては、回転蓋部材の回転軸にピニオンギヤを設け、該ピニオンギヤと咬合するスライド自在なラックを扉に設け、ラックのスライド動作によりピニオンギヤが回転して回転蓋部材を偏心回転したものであるから、コンパクトな構成とすることができる。
【０００９】
本発明通風機能付扉は、扉に開口部を設けると共に、開口部を開閉可能な回転蓋部材を開口部を形成した位置に設け、該回転蓋部材は断面略扇形状を呈し、回転蓋部材は上下端部で且つ断面中心位置から偏倚した位置に設けた回転軸を扉に枢着して偏心回転可能とし、回転蓋部材の周面に回転軸の軸心を中心とした円弧状の封止面を形成し、該封止面の端部から回転軸にかけて平面状の整流面を形成し、回転蓋部材の回転軸にピニオンギヤを設け、該ピニオンギヤと咬合するラックをスライド自在として扉に設け、ラックの端部にはラックのスライド方向と傾斜するガイド孔を穿設し、ガイド孔には扉に設けた開閉操作部材の端部に設けた連結ピンを嵌合し、開閉操作部材を操作することによりガイド孔内に位置する連結ピンを移動してラックのスライド動作を行い、ラックと咬合するピニオンギヤを回転して回転蓋部材を偏心回転し、回転蓋部材の封止面を開口部縁に近接あるいは離間して開口部を開閉可能としたものである。
【００１０】
【作用】
この発明によれば、扉に設けた開口部を開閉可能とする回転蓋部材は偏心回転するよう扉に枢着し、偏心回転する回転蓋部材の周面を開口部縁に近接あるいは離間して開口部を開閉可能としているので、回転蓋部材を回転させる簡単な操作により開口部を開閉可能とすることができ、大きな開口部を形成するにも関わらず開口部の位置には常に回転蓋部材が配置されるので、回転蓋部材によって外部からの視線を効果的に遮断することができる。
【００１１】
【発明の実施の形態】
以下、本発明の実施の形態として実施例を図面に基づいて説明する。
図１ないし７は本発明通風機能付扉の実施例であり、図中１は扉を表わし、扉１は建物の屋外出入口等に設けられる。扉１が取付けられる部位には扉取付枠２が設けられ、扉取付枠２に扉１が蝶番２１を介して水平回動自在に取付けられている。さらに、扉１には把手１２が設けられており、把手１２を操作して扉１が開閉可能となる。
【００１２】
扉１の中央部には通風機構ユニットＷが設けられており、通風機構ユニットＷの周囲は上下横框１３，１４と左右縦框１５，１６によって囲われている。そして、通風機構ユニットＷは扉１と一体構造となるように構成されている。なお、１７は扉１に設けた格子体であり、格子体１７が設けられた側が屋外側に面するように設置される。
通風機構はユニット化することにより、扉１への組み付けが簡単となり、メンテナンス作業を容易に実施することができる。また、他の種類の扉、例えば引戸等への適用も簡単に実施することができる。
通風機構ユニットＷの周囲は、上枠３１、下枠３２、左枠３３、右枠３４により枠組された枠部３によって囲われており、上枠３１と下枠３２の間には所定の間隔を置いて縦桟材４が架設されている。そして、隣接する縦桟材４の間と両側に位置する縦桟材４と左枠３３、右枠３４の間には、通風可能な開口部５が形成されている。
【００１３】
開口部５が形成された位置には、回転蓋部材６が配設されており、回転蓋部材６の上下端部に突出した回転軸６１が上枠３１と下枠３２に枢支されている。回転蓋部材６は、その中心位置から偏倚した位置に設けられた回転軸６１を中心とした偏心回転を行う。回転蓋部材６は内部中空状のアルミニウム製形材により形成された断面略扇状を呈し、回転蓋部材６の周面には回転軸６１の軸心を中心とした円弧状の封止面６２が形成されている。さらに、封止面６２の端部から回転軸６１にかけては、平面状の整流面６３が形成されている。
【００１４】
開口部５の縁となる縦桟材４の両側縁と左枠３３、右枠３４の開口部５側には、縁部材７が設けられており、縁部材７には封止面６２と略同じ曲率を有する曲面部７１が形成されている。よって、回転蓋部材６が偏心回転して封止面６２と曲面部７１が近接し、開口部５が閉鎖される。
【００１５】
上側に突出する回転軸６１にはピニオンギア８が設けられており、ピニオンギア８は上枠３１内に突出した回転軸６１の先端に固着されている。さらに、上枠３１内に内装されたピニオンギア８は、上枠３１内に嵌挿したラック９と咬合している。ラック９は上枠３１内を長手方向に沿ってスライド自在であり、ラック９のスライド動作に連動してピニオンギア８が回転し、回転蓋部材６が回転軸６１の軸心を中心として偏心回転する。
【００１６】
ラック９の一端部と上枠３１の一端部との間には、上枠３１に固着した軸３１１に巻回したコイルスプリング１０が配設されており、コイルスプリング１０は回転蓋部材６が閉鎖状態となるようラック９を上枠３１の一端部に向けて付勢している。ラック９の他端部にはラック９の移動方向と傾斜するガイド孔９１が形成されており、ガイド孔９１の両端部にはラック９の移動方向と直交する位置規制部９１１が形成されている。右枠３４内には開閉操作部材１１が内装されており、ラック９のガイド孔９１には開閉操作部材１１の一端部に設けた連結ピン１１１が嵌合している。開閉操作部材１１の他端部に操作ノブ１１２が連結されており、操作ノブ１１２は右枠３４の表面に配置されている。
【００１７】
以上の構成から成る通風機構ユニットＷの動作について説明する。
図１、図３、図４は開口部５を開放した状態であり、図２、図７は開口部５を閉鎖した状態である。開口部５を閉鎖している状態では、図２に示したとおり、封止面６２と曲面部７１が近接している。この閉鎖状態から開口部５を開放する場合、先ず操作ノブ１１２を開方向に移動すると、開閉操作部材１１が上動し、先端に設けられた連結ピン１１１も同様に上動する。この時、連結ピン１１１はラック９に形成した傾斜状のガイド孔９１と嵌合しているので、連結ピン１１１によりラック９を右枠３４に向けてスライドさせる力が作用する。そしてラック９はコイルスプリング１０の付勢力に抗して右枠３４に向けてスライドし、ラック９と咬合するピニオンギア８が回転する。ピニオンギア８の回転により回転軸６１を中心として、回転蓋部材６が偏心回転を開始する。
【００１８】
さらに操作ノブ１１２を開方向に移動させると、連結ピン１１１はガイド孔９１の端部に向けてさらに移動し、ラック９も右枠３４に向けてスライドして、ピニオンギア８もさらに回転する。連結ピン１１１がガイド孔９１の位置規制部９１１に到達すると、ラック９のスライドとピニオンギア８の回転が完了し、回転蓋部材６の偏心回転も完了する。即ち、図３に示したとおり、開口部５と回転蓋部材６の間には空間部が形成され、通風可能となる。なお、連結ピン１１１はガイド孔９１の位置規制部９１１に嵌まり込み、コイルスプリング１０のバネ力によって、ラック９が逆方向に押し戻されることはない。開口部５の開放状態において、外部から流入する空気は回転蓋部材６に形成した整流面６３によって整流されて屋内側に流れ込むので、回転蓋部材６が障壁となって扉１に大きな風圧が加わるのを防止している。
【００１９】
次に、開口部５の開放状態から閉鎖状態とする場合には、操作ノブ１１２を閉方向である下方に移動すると、連結ピン１１１がガイド孔９１の位置規制部９１１から抜け出て、ガイド孔９１内を下方に向けて移動する。この時ラック９には、連結ピン１１１の移動により左枠３３に向けてスライドさせようとする力と、コイルスプリング１０による付勢力が作用し、開放する場合よりも円滑にラック９をスライドさせることができ、ピニオンギア８に連結された回転蓋部材６を偏心回転することができる。連結ピン１１１は開放状態とは対向する位置に形成されたガイド孔９１の位置規制部９１１に嵌まり込み、回転蓋部材６の偏心回転が終了する。開口部５の閉鎖状態においては、回転蓋部材６の封止面６２と縁部材７の曲面部７１が近接して開口部５が閉鎖され、通風が制限される。
【００２０】
上記実施例において、縦長状の開口部５を設け、回転蓋部材６を上枠３１と下枠３２に枢支したが、横長状の開口部５として回転蓋部材６を左右枠３３，３４に枢支しても構わない。また、回転蓋部材６の封止面６２と縁部材７の曲面部７１との何れか一方に弾性部材を貼付して、閉鎖状態における密閉状態を高めることができる。また、回転蓋部材６は中空状の形材としたが、内部が充填されたものを使用して断熱性を高めることができる。回転蓋部材６の形状は特に限定されず、開口部５の縁に近接する封止面６２を有するものであれば良い。開口部５並びに回転蓋部材６の大きさと数は実施例のものに限定されるものではない。さらに、防虫効果を高める目的で、扉１の屋外側には防虫網を配設すべきである。
【００２１】
【発明の効果】
本発明通風機能付扉によれば、扉に設けた開口部を開閉可能な回転蓋部材が偏心回転するよう扉に枢着し、偏心回転する回転蓋部材を開口部に近接あるいは離間して開口部を開閉可能としたものであるから、回転蓋部材を開口部の位置で回転するだけで簡単に開口部の開閉操作を行うことができ、外部からの視線を効果的に遮断することができる。
【図面の簡単な説明】
【図１】  本発明通風機能付扉における通風機能ユニットの斜視図
【図２】  開口部の閉鎖状態を表わす通風機構ユニットの一部を切り欠いた平面図
【図３】  開口部の開放状態を表わす通風機構ユニットの一部を切り欠いた平面図
【図４】  開口部の開放状態を表わす通風機構ユニットの部分拡大図
【図５】  開口部の開放状態を表わす通風機構ユニットの一部を切り欠いた正面図
【図６】  本発明通風機能扉の屋外側を表わす立面図
【図７】  本発明通風機能扉の屋内側を表わす立面図
【図８】  図７におけるＡ−Ａ線断面図
【符号の説明】
１      扉
５      開口部
６      回転蓋部材
８      ピニオンギア
９      ラック
９１      ガイド孔
６２      封止面
１１１      連結ピン
【図１】
0003826017.tif 000002
【図２】
0003826017.tif 000003
【図３】
0003826017.tif 000004
【図４】
0003826017.tif 000005
【図５】
0003826017.tif 000006
【図６】
0003826017.tif 000007
【図７】
0003826017.tif 000008
【図８】
0003826017.tif 000009